(57)【特許請求の範囲】
【請求項１】
表示用タッチパネル(1)、通話用ハンドセット(2)、押しボタン(3)、聾唖ボタン(5)、回線送受信装置(6)、電源(7)及び中央演算装置(8)を備え、該表示用タッチパネル(1)は液晶型で該押しボタン(3)を被覆し、該回線送受信装置(6)には通信回線(61)が接続され、該回線送受信装置(6)は外付け電話用のジャック(62)を備え、該電源(7)はＡＣ入力電源(71)とバックアップ電源用のバッテリー(72)を備え、該中央演算装置(8)はこれらを統括制御する機能を備えていることを特徴とする聾唖者対応型非常電話機。
【請求項２】
該押しボタン(3)は通報内容別に分かれた複数個となっている請求項１に記載の聾唖者対応型非常電話機。
【請求項３】
該通信回線(61)は音声通話とモデム通信を兼ねており、通話用ハンドセットを取り上げたときはアナログ通話用となり、該聾唖ボタン(5)が押されたときはモデムＶ９０モードに切り替わるようになっている請求項１又は２に記載の聾唖者対応型非常電話機。
【請求項４】
該バッテリー(72)は停電時の情報伝送用である請求項１、２又は３に記載の聾唖者対応型非常電話機。
【発明の詳細な説明】
【技術分野】
【０００１】
本発明は聾唖者対応型非常電話機に関する。
【背景技術】
【０００２】
従来、音声による情報の伝達ができないか困難な者のために、音声なしに情報の伝達が可能なシステムが考案されている。特開平７―１９３６５１号公報は、道路上の非常電話機を聾唖者でも使用できる非常用電話機システムに関し、また、特開２０００−１１５３９７号公報は、会話なしでも相手に情報の送信が可能な情報伝送装置に関し、更に、特開２００３−３３７９９５号公報は、聾唖者や難聴者でも電話でタクシーを呼ぶことができるシステムと電話機に関している。
【特許文献１】特開平７―１９３６５１号公報
【特許文献２】特開２０００−１１５３９７号公報
【特許文献３】特開２００３−３３７９９５号公報
【発明の開示】
【発明が解決しようとする課題】
【０００３】
特開平７―１９３６５１号公報に示された非常用電話機システムは、その段落００４０〜００４２に述べられているように、聾唖者向けの非常用電話機を採用している。従って、通話用の電話機と聾唖者向けの特殊電話機の双方を設置する必要があり、コストが嵩む。
【０００４】
特開２０００−１１５３９７号公報に示された情報伝送装置は、段落００２５〜００２７の記載から、予め発信者の通信内容を受信側に登録しておく必要があり、個人差のある通信内容を各別に登録する作業は大変厄介なことである。
【０００５】
特開２００３−３３７９９５号公報に示されたタクシー呼び出し用通信システムは、初期段階で発信者と受信者間の意思の伝達が文字でなされ、受信者が非聾唖者で発信者の発する文字情報の内容に不満足な場合にボタン操作で通話に切り替え、発信者と直接会話ができるようにしている。非聾唖者にとっては使い勝手が悪い。
【０００６】
本発明は、単一の電話機を音声通話と通信通話の双方に選択的に使用でき、表示面をタッチパネルで覆うことにより簡易に情報の伝送ができる聾唖者対応型非常電話機を提供することを目的とする。
【課題を解決するための手段】
【０００７】
（請求項１）本発明に係る聾唖者対応型非常電話機は、表示用タッチパネル、通話用ハンドセット、押しボタン、聾唖ボタン、回線送受信装置、電源及び中央演算装置を備えている。該表示用タッチパネルは液晶型で該押しボタンを被覆している。該回線送受信装置には通信回線が接続される。該回線送受信装置は外付け電話機用のジャックを備えている。該電源はＡＣ入力電源とバックアップ電源用のバッテリーを備えている。そして、該中央演算装置はこれらを統括制御する機能を備えている。
【０００８】
この非常電話機は道路の脇に設置される。高速道路が効果的であるが、一般の道路でももちろん採用可能である。運転者又は通行人が道路上での事故や道路近傍での火災等、交通に支障のある事象に遭遇した場合、この非常電話を利用し、情報の発信者となって受信者である道路管理者に通報する。
【０００９】
この発信者が健常者の場合、通常のようにハンドセットを取り上げて音声で受信者と遣り取りする。発信者が聾唖者の場合は通話ができないので、聾唖ボタンを押す。これで通信回線がモデムＶ９０モードに切り替わり、文字による情報伝送がなされる。受信者側からの情報は該表示タッチパネル面上に表示されるので、聾唖者でも情報の内容を理解できる。該ジャックに別の電話機を接続することにより、この非常電話機の回線を利用して、他の業務用通信が可能となる。
【００１０】
（請求項２）該押しボタンは通報内容別に分かれた複数個となっていてもよい。こうすると、各ボタンに異なる情報の要点のみを付属させられるので、情報の伝送が簡潔になされる。
【００１１】
（請求項３） 該通信回線は音声通話とモデム通信を兼ねており、通話用ハンドセットを取り上げたときはアナログ通話用となり、該聾唖ボタンが押されたときはモデムＶ９０モードに切り替わるようになっていてもよい。こうすると、該通信回線を簡略化できる。
【００１２】
（請求項４）該バッテリーは停電時の情報伝送用であってもよい。こうすると、落雷等で停電しても、非常電話が使えなくなることがないので、情報伝送に支障がない。
【発明の効果】
【００１３】
（請求項１）本発明にかかる聾唖者対応型非常電話機によれば、運転者又は通行人が道路上での事故や道路近傍での火災等、交通に支障のある事象に遭遇した場合、この非常電話を利用し、情報の発信者となって受信者である道路管理者に通報するが、この発信者が聾唖者の場合、聾唖ボタンを押すことにより通信回線がモデムＶ９０モードに切り替わって初めから文字による双方向情報伝送が可能となり、受信者側からの情報は表示用タッチパネル面上に表示されるので、聾唖者でも情報の内容を確認できる。該回線送受信装置は外付け電話機用のジャックを備えているので、該ジャックに別の電話機を接続することにより、この非常電話機の回線を利用して、他の業務用通信が可能となる。
【００１４】
請求項２によれば、該押しボタンは通報内容別に分かれた複数個となっているので、各ボタンに異なる情報の要点のみを付属させられ、情報の伝送が簡潔になされる。
【００１５】
請求項３によれば、該通信回線は音声通話とモデム通信を兼ねており、通話用ハンドセットを取り上げたときはアナログ通話用となり、該聾唖ボタンが押されたときはモデムＶ９０モードに切り替わるようになっているので、該通信回線を簡略化できる。
【００１６】
請求項４によれば、該バッテリーは停電時の情報伝送用なので、落雷等で停電しても非常電話が使えなくなることがなく、情報伝送に支障がない。
【図面の簡単な説明】
【００１７】
【図１】本発明に係る聾唖者対応型非常電話機の概念図である。
【図２】状態遷移の通常運用の場合の概念図である。
【図３】同じく折り返し試験の場合の概念図である。
【図４】動作説明のフロー図で発呼の場合である。
【図５】同じく通話又は通信の場合である。
【図６】同じくアナログ通話モードの場合である。
【図７】同じくモデムＶ９０モードの場合である。
【図８】非常電話回線折り返し試験動作フロー図である。
【発明を実施するための最良の形態】
【００１８】
（請求項１）本発明にかかる聾唖者対応型非常電話機の一形態は、図１に示すとおり、  表示用タッチパネル１、通話用ハンドセット２、押しボタン３、聾唖ボタン５、回線送受信装置６、電源７及び中央演算装置８を備えている。表示用タッチパネル１は液晶型で押しボタン３を被覆している。この被覆は単に押しボタン３の上面を覆っているカバーの場合もあり、押しボタン３と一体となっている場合もある。回線送受信装置６には通信回線６１が接続される。回線送受信装置６は外付け電話機用のジャック６２を備えている。電源７はＡＣ入力電源７１とバックアップ電源用のバッテリー７２を備えている。そして、中央演算装置８は通常のように、これらを統括制御する機能を備えている。
【００１９】
この非常電話機は道路の脇に設置される。高速道路が効果的であるが、一般の道路でももちろん採用可能である。運転者又は通行人が道路上での事故や道路近傍での火災等、交通に支障のある事象に遭遇した場合、この非常電話を利用し、情報の発信者となって受信者である道路管理者に通報する。ジャック６２に別の電話機を接続することにより、この非常電話機の回線を利用して、他の業務用通信が可能となる。
【００２０】
図２は状態遷移の通常運用の場合の概念図である。待機の状態からオフフックになるとモデムＤＴＭＦモードがアナログ通話モードとなり、受信者側でオフフック「＃」受信が可能となる。オンフックにより回線は遮断され、待機状態となる。同様に待機の状態から聾唖ボタン５をＯＮにすると、モデムＤＴＭＦモードがモデムＶ９０モードとなり、受信者側で聾唖ボタン５のＯＮ状態での「＃」受信が可能となる。聾唖ボタン５をＯＦＦにすれば押すと回線は遮断され、待機状態となる。アナログ通話モード中に聾唖ボタン５をＯＮにするとモデムＶ９０モードとなり、モデムＶ９０モード中にオフフックすると、アナログ通話モードとなる。
【００２１】
図１で、発信者が健常者の場合、通常のように通話用ハンドセット２を取り上げると音声で受信者と遣り取りする。発信者が聾唖者の場合は通話ができないので、聾唖ボタン５を押す。これで通信回線６１がモデムＶ９０モードに切り替わり、文字による情報伝送がなされる。受信者側からの情報は標示用タッチパネル１面上に表示されるので、聾唖者でも情報の内容を理解できる。
【００２２】
図３は同じく折り返し試験の場合の概念図である。待機状態からモデムＤＴＭＦモードに対して曲版検出を行うと、モデムＤＴＭＦモードからＤＴＭＦ“＊８６１”送出がなされ、試験が完了する。
【００２３】
図４はモデムＤＴＭＦモードにおける動作説明のフロー図で、発呼の場合である。待機状態からハンドセットをオフフックするか聾唖ボタン５を押すと（ステップ１）、Ｖ９０モデム終端を経て（ステップ２）、非常電話機に与えられている個別識別信号を送出し（ステップ３）、極反検出して（ステップ４）表示用タッチパネル１１を起動する（ステップ５）。ここで押しボタン３の一つを押すとそれが点灯し（ステップ６）、そのボタンに与えられているＰＢ信号を送出する（ステップ７）。受信者側では受付台応答「＃」又はＰＢ送出５回？を検出し（ステップ８）、検出できなかった場合はステップ７以降の操作を繰り返す。受付台応答「＃」又はＰＢ送出５回？を検出した場合は、通話又は通信を行う（ステップ９）。
【００２４】
図５は同じく通話又は通信の場合である。発呼すると（ステップ１１）モード選択に移行し（ステップ１２）、ここで、ハンドセット２をオフフックするとアナログ通話モードとなり（ステップ１３）、聾唖ボタン５をＯＮするとモデムＶ９０モードとなる（ステップ１４）。ステップ１３や１４以降はそれぞれステップ１２以降の作業を繰り返す。
【００２５】
図６は同じくアナログ通話モードの場合である。スタートすると（ステップ２１）、Ｖ９０モデムが開放されてハンドセット２終端となり（ステップ２２）、聾唖ボタン５をＯＮすると（ステップ２３）モデムＶ９０モードとなる（ステップ２４）。聾唖ボタン５がＯＮされた状態で、電流検出がないと切断かと判断して（ステップ２５）ステップ２３以降の作業を繰り返し、切断と判断した場合は非常電話回線を開放して（ステップ２６）待機する（ステップ２７）。
【００２６】
図７は同じくモデムＶ９０モードの場合である。スタートすると（ステップ３１）Ｖ９０データリンクに移行し（ステップ３２）、ハンドセット２をオフフックすると（ステップ３３）電流が流れ、アナログ通話モードとなる（ステップ３４）。もし電流が流れないと切断かなと判断して（ステップ３５）、ステップ３３以降の操作を繰り返す。それでも電流が流れなかったときは、切断と判断し、非常電話回線を開放して（ステップ３６）待機する（ステップ３７）。
【００２７】
図８はモデムＤＴＭFモードの場合の非常電話回線折り返し試験動作フロー図である。待機状態から（ステップ４１）試験回線給電検出をし（ステップ４２）、ＭＯＤＥＭ  試験回線ＬＯＯP形成をし（ステップ４３）、ＰＢ受信をする（ステップ４４）。受信をしたＰＢが自己アドレスかどうかを確認し（ステップ４５）、確認できた場合はＭＯＤＥＭ  試験回線ＬＯＯP形成をし（ステップ４６）、ＰＢ受信“＊８６１”を送出して（ステップ４７）待機する（ステップ４８）。自己アドレスの確認ができなかった場合は直接待機に移行する。
【００２８】
（請求項２）押しボタン３は通報内容別に分かれた複数個となっている。この場合、各押しボタン３に異なる情報の要点のみを付属させられるので、情報の伝送が簡潔になされる。
【００２９】
（請求項３）通信回線６１は音声通話とモデム通信を兼ねており、通話用ハンドセットを取り上げたときはアナログ通話用となり、聾唖ボタン５が押されたときはモデムＶ９０モードに切り替わるようになっている。この場合、通信回線を簡略化できる。
【００３０】
（請求項４）バッテリー７２は停電時の情報伝送用となっている。この場合、落雷等で停電しても、非常電話が使えなくなることがないので、情報伝送に支障がない。
【符号の説明】
【００３１】
１    表示用タッチパネル
２    通話用ハンドセット
３    押しボタン
５    聾唖ボタン
６    回線送受信装置
６１  通信回線
６２  ジャック
７    電源
７１  ＡＣ入力電源
７２  バッテリー
８    中央演算装置
【図１】
0005491130.tif 000002
【図２】
0005491130.tif 000003
【図３】
0005491130.tif 000004
【図４】
0005491130.tif 000005
【図５】
0005491130.tif 000006
【図６】
0005491130.tif 000007
【図７】
0005491130.tif 000008
【図８】
0005491130.tif 000009